(57)【要約】【課題】プッシュイン・プッシュアウト方式のハートカムロック装置において、ロックピンの係合ピン部が浮き上がるのを防止した装置を提供すること。【解決手段】ハートカム部１８の周りに摺動溝部１９を形成し、プッシュイン時にロックピン２０の先端係合部３０を押し出しばね２１に抗して摺動溝部１９の往路側を摺動してハートカム部１８のピン係合凹部２７に係合し、プッシュアウト時に押し出しばね２１に抗してピン係合凹部２７の係合を外し、復路側を摺動して押し出しばね２１により先端係合部３０を元の位置に戻すようにしたハートカムロック装置９において、前記ピン係合凹部２７の下端部に、前記先端係合部３０の下端部を係止するへこみ穴３１を形成する。【選択図】図１
2017059331.tif 000002
【特許請求の範囲】
【請求項１】
ハートカム部の周りに摺動溝部を形成し、プッシュイン時にロックピンの先端係合部を押し出しばねに抗して摺動溝部の往路側を摺動してハートカム部のピン係合凹部に係合し、プッシュアウト時に押し出しばねに抗してピン係合凹部の係合を外し、復路側を摺動して押し出しばねにより先端係合部を元の位置に戻すようにしたハートカムロック装置において、
前記ピン係合凹部の下端部に、前記先端係合部の下端部を係止するへこみ穴を形成したことを特徴とするハートカムロック装置。
【請求項２】
へこみ穴は、先端係合部の下端部が接触する側のピン係合凹部の下端部壁面に形成した半円形へこみ部からなることを特徴とする請求項１記載のハートカムロック装置。
【請求項３】
へこみ穴は、先端係合部の下端部が接触する側のピン係合凹部の下端部壁面に形成した半円形へこみ部と、この半円形へこみ部から下方に連通した半円形穴部からなることを特徴とする請求項１記載のハートカムロック装置。
【請求項４】
ピン係合凹部と先端係合部は、鉛直線に対し下端部を内側に傾斜し、この傾斜した下端部壁面にへこみ穴を形成したことを特徴とする請求項１，２又は３記載のハートカムロック装置。
【発明の詳細な説明】
【技術分野】
【０００１】
本発明は、ハートカムを用いたプッシュイン・プッシュアウト方式のカードコネクタ等に設けられるハートカムロック装置に関するものである。
【背景技術】
【０００２】
本出願人は、この種のハートカムロック装置を提案している（特許文献１）。
図５〜図７に基づき説明すると、図７において、カードコネクタ１は、カード挿入部２を有するハウジング３と、カード挿入部２内に設けられた複数のコンタクト（図示せず）とを備えている。図５及び図６において、このカードコネクタ１には、カードＡと共にハウジング３内を移動するイジェクタ５と、押し出しバネ６と、ハートカム７と、このハートカム７の周りに配置されたピンガイド溝８と、ロックピン４３とを有し、このロックピン４３の一端の係合ピン部４が前記ピンガイド溝８に摺動可能に挿入され、このロックピン４３の他端が前記イジェクタ５に揺動可能に支持されてプッシュイン・プッシュアウト方式のハートカムロック装置が構成される。
【０００３】
このような構成において、最初のカードＡの押し込み（プッシュイン）動作によって、係合ピン部４が往路溝５０の末端位置ｂまで到達すると、段部５４ａによって往路溝５０側への移動が規制され、その位置ｂで押し込み操作力を解除することによりハートカム７の係合凹部５６内の位置ｃに移動する。この係合凹部５６内に係合ピン部４が移動することにより、図５、図６（ａ）に示すように、係合ピン部４がハートカム７と係合し、イジェクタ５をロック状態にする。
その際、係合ピン部４は、係合凹部５６に係合することによって係合凹部５６の内側に配置された補強当接部５７に当接し、係合ピン部４からハートカム７が受ける負荷に対して強度の高い金属製の補強金具５５で対抗する。
係止解除のためにカードＡの再度の押し込み（プッシュアウト）動作をすると、段部５４ｂによって往路溝５０側への移動が規制され、係合ピン部４が末端停止位置ｄに移動し、その位置ｄで押し込み動作力を解除すると、段部５４ｃによって係合凹部５６側への移動が規制され、イジェクタ５が押し出しバネ６に押圧されて移動し、係合ピン部４が復路溝５１及び往復共通部５３を通って原点位置ａに復帰する。
【先行技術文献】
【特許文献】
【０００４】
【特許文献１】特開２０１５−６０６２７号公報
【発明の概要】
【発明が解決しようとする課題】
【０００５】
図６（ａ）において、ハートカム７の係合凹部５６を構成する立ち壁がハートカム７やハウジング３の水平面に対して直角で、かつ、ストレートに形成されており、また、ロックピン４３の係合ピン部４も係合凹部５６と同一のストレートであるので、シールドカバー４５を切り起こして形成した押し下げバネ４２が押し出しバネ６の引っ張り力より小さかったり、押し下げバネ４２とロックピン４３との間に隙間が生じたりすると、図６（ｂ）のように、係合ピン部４と係合凹部５６の接触点が係合凹部５６の上端部のみになって係合ピン部４が浮き上がってハートカム７を乗り越えてロックが外れたり、プッシュイン・プッシュアウトの動作が正常に作動しなくなったりする恐れがあった。
【０００６】
本発明は、プッシュイン・プッシュアウト方式のハートカムロック装置において、ロックピンの係合ピン部が浮き上がるのを防止した装置を提供することを目的とするものである。
【課題を解決するための手段】
【０００７】
本発明は、ハートカム部１８の周りに摺動溝部１９を形成し、プッシュイン時にロックピン２０の先端係合部３０を押し出しばね２１に抗して摺動溝部１９の往路側を摺動してハートカム部１８のピン係合凹部２７に係合し、プッシュアウト時に押し出しばね２１に抗してピン係合凹部２７の係合を外し、復路側を摺動して押し出しばね２１により先端係合部３０を元の位置に戻すようにしたハートカムロック装置９において、
前記ピン係合凹部２７の下端部に、前記先端係合部３０の下端部を係止するへこみ穴３１を形成したことを特徴とする。
【０００８】
本発明のへこみ穴３１は、先端係合部３０の下端部が接触する側のピン係合凹部２７の下端部壁面に形成した半円形へこみ部３１ａからなる。
また、本発明のへこみ穴３１は、先端係合部３０の下端部が接触する側のピン係合凹部２７の下端部壁面に形成した半円形へこみ部３１ａに加えて、この半円形へこみ部３１ａから下方に連通した半円形穴部３１ｂからなることを特徴とする。
さらに、本発明は、ピン係合凹部２７と先端係合部３０は、鉛直線に対し下端部を内側に傾斜し、この傾斜した下端部壁面にへこみ穴３１を形成してもよい。
【発明の効果】
【０００９】
請求項１記載の発明によれば、ハートカム部の周りに摺動溝部を形成し、プッシュイン時にロックピンの先端係合部を押し出しばねに抗して摺動溝部の往路側を摺動してハートカム部のピン係合凹部に係合し、プッシュアウト時に押し出しばねに抗してピン係合凹部の係合を外し、復路側を摺動して押し出しばねにより先端係合部を元の位置に戻すようにしたハートカムロック装置において、
前記ピン係合凹部の下端部に、前記先端係合部の下端部を係止するへこみ穴を形成したので、以下の効果を有する。
押し下げばね部が押し出しばねの引っ張り力より小さかったり、押し下げばね部とロックピンとの間に隙間が生じたりしても、先端係合部の下端部がへこみ穴に引っかかり、先端係合部が浮き上がることを防止し、プッシュイン・プッシュアウトの動作が正常に作動する。
また、本発明のハートカムロック装置をカードコネクタに採用すると、カードロック状態時のハートカム部のピン係合凹部に収納されるロックピンの位置が常に一定位置に決定される。すなわち、カードロック状態の位置に、ハートカム部のピン係合凹部にへこみ穴が形成されているため、ロックピンの先端係合部がそのへこみ穴に収納される。
【００１０】
請求項２記載の発明によれば、へこみ穴は、先端係合部の下端部が接触する側のピン係合凹部の下端部壁面に形成した半円形へこみ部からなるので、ロックピンの先端係合部の下端部が確実に引っかかり、先端係合部が浮き上がることをより確実に防止できる。
【００１１】
請求項３記載の発明によれば、へこみ穴は、先端係合部の下端部が接触する側のピン係合凹部の下端部壁面に形成した半円形へこみ部と、この半円形へこみ部から下方に連通した半円形穴部からなるので、本発明のハートカムロック装置をカードコネクタに採用すると、特に有効に作用する。
【００１２】
請求項４記載の発明によれば、ピン係合凹部と先端係合部は、鉛直線に対し下端部を内側に傾斜し、この傾斜した下端部壁面にへこみ穴を形成することにより、ロックピンの先端係合部が浮き上がることを防止できる。
【図面の簡単な説明】
【００１３】
【図１】本発明によるハートカムロック装置９の実施例１を示すもので、（ａ）は、シールドカバー１２を省略した平面図、（ｂ）は、（ａ）のＡ−Ａ線断面図である。
【図２】（ａ）は、本発明によるハートカムロック装置９のハートカム部１８の斜視図、（ｂ）は、ハートカム部１８の周りの摺動溝部１９の展開断面図である。
【図３】本発明によるハートカムロック装置９の実施例２を示す縦断面図である。
【図４】本発明によるハートカムロック装置９を装備したカードコネクタを示すもので、（ａ）は、カード１５を押し込む前のシールドカバー１２を省略した平面図、（ｂ）は、カード１５を押し込んだ後の（ａ）の要部の平面図である。
【図５】従来のカードコネクタ１におけるハートカムロック装置の平面図である。
【図６】（ａ）は、従来のカードコネクタ１におけるハートカムロック装置が正常に動作しているときの縦断面図、（ｂ）は、係合ピン部４が浮き上がった状態の縦断面図である。
【図７】従来のカードコネクタ１の斜視図である。
【発明を実施するための形態】
【００１４】
本発明では、ハートカム部１８の周りに摺動溝部１９を形成し、プッシュイン時にロックピン２０の先端係合部３０を押し出しばね２１に抗して摺動溝部１９の往路側を摺動してハートカム部１８のピン係合凹部２７に係合し、プッシュアウト時に押し出しばね２１に抗してピン係合凹部２７の係合を外し、復路側を摺動して押し出しばね２１により先端係合部３０を元の位置に戻すようにしたハートカムロック装置９において、前記ピン係合凹部２７の下端部に、前記先端係合部３０の下端部を係止するへこみ穴３１を形成する。
【００１５】
へこみ穴３１は、先端係合部３０の下端部が接触する側のピン係合凹部２７の下端部壁面に形成した半円形へこみ部３１ａからなるものとする。
へこみ穴３１は、先端係合部３０の下端部が接触する側のピン係合凹部２７の下端部壁面に形成した半円形へこみ部３１ａだけでなく、この半円形へこみ部３１ａから下方に連通した半円形穴部３１ｂからなるものとするようにしてもよい。
【００１６】
ピン係合凹部２７と先端係合部３０は、ともに鉛直線としてもよいし、鉛直線に対し下端部を内側に傾斜し、この傾斜した下端部壁面にへこみ穴３１を形成することができる。
【実施例１】
【００１７】
以下、本発明の実施例を図面に基づき説明する。
図４（ａ）は、本発明のハートカムロック装置９を装備したカードコネクタ１０を示すもので、このカードコネクタ１０は、薄板状のハウジング１１に、図中下端部のカード挿入口１４からカード１５の収納される空間を持ってシールドカバー１２が被せられている。また、カードコネクタ１０の上面中央には、挿入されるカード１５のパッドの位置に対応して複数個（この例では、６個）のへ字形のコンタクト２５が設けられ、図中上端部には、イジェクト板ばね２６が設けられ、図中右側縁部には、本発明によるハートカムロック装置９が設けられている。
【００１８】
前記ハートカムロック装置９は、前記ハウジング１１の図中上端部近くに、ハートカム部１８が形成され、このハートカム部１８の周りにロックピン２０が摺動しつつ移動する摺動溝部１９が形成され、この摺動溝部１９は、図中下端部近くのピンスライダ２２の位置まで延びている。このピンスライダ２２には、一体にばね圧縮部材２３が設けられ、このばね圧縮部材２３と図中上端部近くのばね受け部３２との間に押し出しばね２１が設けられている。また、ピンスライダ２２を挟んで押し出しばね２１と反対側には、カード１５（又はカード１５を嵌合したカード用トレイ１６）の挿入により一体に移動するカード係合スライダ２４が設けられている。
【００１９】
前記ハートカムロック装置９のさらに詳細を図１（ａ）（ｂ）及び図２（ａ）（ｂ）に基づき説明する。
これらの図において、前記ハートカム部１８の周りに摺動溝部１９が設けられ、この摺動溝部１９は、前記図４（ａ）における点Ｓの位置から連続している。この摺動溝部１９の深さは、図２（ｂ）に示すように４箇所の段差５４ａ，５４ｂ，５４ｃ，５４ｄをもって１周している。
前記ロックピン２０は、図１（ｂ）に示すように、先端部が下向きに折曲された先端係合部３０であり、基端部が垂直な基端軸部２９となっている。この基端軸部２９は、前記ピンスライダ２２の揺動軸孔２８に揺動自在に嵌合している。
【００２０】
特に、本発明の特徴は、ハートカム部１８のくびれたピン係合凹部２７にへこみ穴３１を形成した点である。このへこみ穴３１は、ピン係合凹部２７の垂直な壁面からつけ爪を裏返ししたような半円形へこみ部３１ａとなるようにえぐられ、この半円形へこみ部３１ａに連通し、ピン係合凹部２７の前面の摺動溝部１９の一部が切り欠かれるように半円形穴部３１ｂが穿設されている。この半円形穴部３１ｂは、ロックピン２０の先端係合部３０の下端部が一部分だけ係合する大きさとする。
【００２１】
以上のような構成とすることにより、押し下げばね部１３が押し出しばね２１の引っ張り力より小さかったり、押し下げばね部１３とロックピン２０との間に隙間が生じたりしても、図１（ｂ）のように、先端係合部３０の下端部が半円形へこみ部３１ａと半円形穴部３１ｂからなるへこみ穴３１に引っかかり、先端係合部３０が浮き上がることを防止し、プッシュイン・プッシュアウトの動作が正常に作動する。
また、本発明のハートカムロック装置９をカードコネクタに採用すると、カードロック状態時のハートカム部１８のピン係合凹部２７に収納されるロックピン２０の位置が常に一定位置に決定される。すなわち、カードロック状態の位置に、ハートカム部１８のピン係合凹部２７にへこみ穴３１が形成されているため、ロックピン２０の先端係合部３０がそのへこみ穴３１に収納される。
【００２２】
前記半円形へこみ部３１ａは、傾斜面としたが、これに限られず、ピン係合凹部２７との直角面、円弧面などいずれでもよく、先端係合部３０とピン係合凹部２７の接触点がピン係合凹部２７の下端部でしっかりと接触すればよい。
【実施例２】
【００２３】
前記実施例では、ロックピン２０の先端係合部３０と、ハートカム部１８のピン係合凹部２７とを鉛直面としたが、図３に示すように、鉛直線に対し、わずかな角度θだけ内側に傾斜させ、傾斜したピン係合凹部２７の下端部にへこみ穴３１を形成するようにしてもよい。このような構成とした場合には、半円形へこみ部３１ａをなくし、半円形穴部３１ｂだけとしてもよいし、半円形へこみ部３１ａと半円形穴部３１ｂを共に形成してもよい。
【符号の説明】
【００２４】
１…カードコネクタ、２…カード挿入部、３…ハウジング、４…係合ピン部、５…イジェクタ、６…押し出しバネ、７…ハートカム、８…ピンガイド溝、９…ハートカムロック装置、１０…カードコネクタ、１１…ハウジング、１２…シールドカバー、１３…押し下げばね部、１４…カード挿入口、１５…カード、１６…カード用トレイ、１８…ハートカム部、１９…摺動溝部、２０…ロックピン、２１…押し出しばね、２２…ピンスライダ、２３…ばね圧縮部材、２４…カード係合スライダ、２５…コンタクト、２６…イジェクト板ばね、２７…ピン係合凹部、２８…揺動軸孔、２９…基端軸部、３０…先端係合部、３１…へこみ穴、３２…ばね受け部、４２…押し下げバネ、４３…ロックピン、４５…シールドカバー、５０…往路溝、５１…復路溝、５３…往復共通部、５４…段部、５５…補強金具、５６…係合凹部、５７…補強当接部。
【図１】
2017059331.tif 000003
【図２】
2017059331.tif 000004
【図３】
2017059331.tif 000005
【図４】
2017059331.tif 000006
【図５】
2017059331.tif 000007
【図６】
2017059331.tif 000008
【図７】
2017059331.tif 000009